(57)【要約】【課題】  他の調理機器のデータに基づき動作することが可能な使い勝手の良い調理機器を提供すること。【解決手段】  上記の課題を解決するためには、調理物を加熱する加熱手段と、この加熱手段の加熱条件を入力する操作手段と、外部の機器と通信を行うための通信手段と、加熱手段を制御して加熱調理を実行する制御手段を有し、通信手段により、他の調理器の加熱調理運転の情報を取得可能であり、制御手段は、取得した他の調理機器の加熱調理運転の情報に基づき、加熱手段を制御して加熱調理を実行するように構成すればよい。  これにより、使用者の操作を低減することができる使い勝手のよい調理機器を得ることができる。【選択図】図１
2015194287.tif 000002
【特許請求の範囲】
【請求項１】
調理物を加熱する加熱手段と、
前記加熱手段の加熱条件を入力する操作手段と、
外部の機器と通信を行うための通信手段と、
前記加熱手段を制御して加熱調理を実行する制御手段を有し、
前記通信手段により、他の調理器の加熱調理運転の情報を取得可能であり、
前記制御手段は、取得した他の調理機器の加熱調理運転の情報に基づき、前記加熱手段を制御して加熱調理を実行することを特徴とする調理機器。
【請求項２】
前記制御手段は、取得した他の調理機器の加熱調理運転の情報に基づき、他の調理機器と同時に加熱調理運転が終了するように加熱手段を制御して加熱調理を実行することを特徴とする請求項１に記載の調理機器。
【請求項３】
前記制御手段は、取得した他の調理機器の加熱調理運転の情報に基づき、他の調理機器の加熱調理運転の終了にあわせて、調理準備工程が終了するように加熱手段を制御することを特徴とする請求項１記に記載の調理機器。
【請求項４】
前記調理器は、本体内に近距離通信用入出力部を有したことを特徴とする請求項１から請求項３に記載の調理機器。
【請求項５】
前記調理機器は、複数の家電製品と通信可能な情報収集ユニットと通信可能な請求項１から請求項４に記載の調理機器。
【発明の詳細な説明】
【技術分野】
【０００１】
本発明は、外部の機器と通信を行うことが可能な調理機器に関する。
【背景技術】
【０００２】
従来から、調理メニューを実施する際に、各調理機器の使用が必要となる段階で、ホーム端末が調理メニューの手順を順次表示して使用者に促す調理支援システムがある。（例えば、特許文献１参照）。
【先行技術文献】
【特許文献】
【０００３】
【特許文献１】特開２００２-０８９８４５（図２）
【発明の概要】
【発明が解決しようとする課題】
【０００４】
しかしながら、実際に複数の調理機器を動かす際には、調理支援システムの情報に基づき、使用者自らが、各調理機器の操作部でそれぞれ設定を操作する必要があり、各調理機器で操作するのは煩わしいという課題があった。
【０００５】
本発明は、上記のような課題を解決する為になされたもので、使用者が調理機器を操作しなくても、他の調理機器のデータに基づき動作することが可能な使い勝手の良い調理機器を提供することを目的とする。  
【課題を解決するための手段】
【０００６】
上記の課題を解決するためには、調理物を加熱する加熱手段と、この加熱手段の加熱条件を入力する操作手段と、外部の機器と通信を行うための通信手段と、加熱手段を制御して加熱調理を実行する制御手段を有し、通信手段により、他の調理器の加熱調理運転の情報を取得可能であり、制御手段は、取得した他の調理機器の加熱調理運転の情報に基づき、加熱手段を制御して加熱調理を実行するように構成すればよい。
【発明の効果】
【０００７】
本発明によれば、調理機器が、他の調理機器の情報を取得して、この情報に基づき自らの加熱調理動作を行うことができるので、使用者の操作を低減することができる使い勝手のよい調理機器を得ることができる。
【図面の簡単な説明】
【０００８】
【図１】実施の形態１に係る調理機器Ａ１であるＩＨクッキングヒーターの斜視図
【図２】実施の形態１に係る調理機器Ａ１であるＩＨクッキングヒーターの制御回路のブロック図
【図３】実施の形態１に係る調理機器Ａ２である電気炊飯器の断面図
【図４】実施の形態１に係る外部端末Ｂにおける表示１
【図５】実施の形態１に係る外部端末Ｂにおける表示２
【図６】実施の形態１に係る外部端末Ｂと調理機器Ａ１，Ａ２の関係図
【図７】実施の形態１に係る外部端末Ｂにおける表示３
【図８】実施の形態２に係る調理機器Ａ３であるオーブンレンジの斜視図
【図９】実施の形態２に係る調理機器Ａ３であるオーブンレンジの断面図
【図１０】実施の形態２に係る外部端末Ｂにおける表示
【発明を実施するための形態】
【０００９】
（実施の形態１）
以下、図１〜図７を参照して、実施の形態１を説明する。実施の形態１は、調理機器Ａ１であるＩＨクッキングヒーターに用いた場合の形態である。
図１を参照すると、ＩＨクッキングヒーターである調理機器Ａ１の外殻は、本体ケース１０と、本体ケース１０の上方を覆い鍋やフライパンなどの調理容器を載置する天板２０から構成される。天板２０は、周囲をステンレス等の金属製のフレーム２１で構成し、フレーム２１の開口に耐熱のガラス板２２が嵌め込まれている。
【００１０】
また、天板２０の前方側には、調理モードの選択、各誘導加熱コイル４０（４０Ｌ，４０Ｒ）（図示せず）の電源のＯＮ・ＯＦＦ、タイマーの設定等を行う上面操作部３０が設けられている。この上面操作部３０は、フレーム２１の開口に位置しており、複数の操作ボタンにより構成されている。
【００１１】
次に、天板２０の下方には、調理容器を誘導加熱する誘導加熱コイル４０や、調理機器Ａ１の状態を表示する表示部５０が配置されている。
そして、この誘導加熱コイル４０と対向する天板２０の上面の位置には、それぞれ加熱部２３（左加熱部２３Ｌ、右加熱部２３Ｒ）を示すマークが表示されている。加熱部２３は、調理時に当該マークの位置に鍋などの調理容器を置く位置である。
【００１２】
次に、調理機器Ａ１の前面には、グリル庫Ｇの前面を覆うグリル扉７０と、前面操作部８０が位置している。
グリル扉７０は、グリル調理を行うグリル庫Ｇ（図示せず）の開口部を覆う部材であり、調理物を載せる焼網が載せられるグリル皿と一体となっている。つまり、グリル扉７０を手前に引き出せば、グリル庫内部から調理物を取り出し可能となっている。
【００１３】
このグリル扉７０には、グリル庫内部を目視にて確認する為のグリル窓７１と、グリル内部から調理物が乗せられているグリル皿を取り出す際に、手掛け部として用いるグリルハンドル７２が形成されている。
また、グリル庫の内部には、焼き魚等のグリル調理を行うために、庫内の温度を上昇させるグリルヒーター７３（図示せず）が設けられている。
【００１４】
次に、前面操作部８０は、誘導加熱コイル４０の出力を調整するものであり、それぞれの誘導加熱コイル４０に対応して設けられる操作ダイヤル８１が配置されている。
そして、この前面操作部８０の内部には、外部の機器と通信を行うため送受信部となる非接触通信手段６０が設けられ、この非接触通信手段６０と対向する前面パネル８２の前面には、外部端末を近接させることで非接触通信手段と通信可能となる位置であることを示す通信位置マーク６０ａが表示されている。
【００１５】
次に、図２を参照すると、以上のように構成された調理機器Ａ１の内部には、誘導加熱コイル４０に高周波電力を供給するインバーター回路や、グリルヒーターを駆動するグリルヒーター駆動回路、表示部５０を駆動する表示部駆動回路、及び、各回路を制御する制御手段１００である回路基板（図示せず）が設けられている。
【００１６】
また、上面操作部３０、前面操作部８０、非接触通信手段６０、音声を再生するスピーカー９０も制御手段１００に接続している。
尚、制御手段は、マイコンやＤＳＰやマイクロプロセッサーなどで構成されており、調理履歴や外部から受信した情報やデータを記憶する記憶部１０１及び時間を計算する計時部１０２を有する。
【００１７】
次に、図３を参照して、調理機器Ａ２である電気炊飯器３００（以下、炊飯器３００）について説明する。図３は、炊飯器３００の断面図を示す。
炊飯器３００は、炊飯器本体３０１と、この本体上部にヒンジ部３０６により支持されて開閉する外蓋３１０ａと内蓋３１０ｂを有する蓋体３１０と、本体内部に設けられる容器カバー３０２と、米や水などの調理物を保持する釜３０５と、この釜３０５を加熱する加熱手段である誘導加熱コイル３０３と、釜３０５の側面を加熱する側面加熱手段３２８と、内蓋３１０ｂを加熱する蓋ヒーター３２９と、釜底温度センサー３０４と、制御手段３０８を備えている。
尚、加熱手段として、誘導加熱コイル３０３に代えてシーズヒーターを設けてもよい。
【００１８】
容器カバー３０２は、上方に開口する凹形状である有底筒状に形成され、その内部に釜３０５が着脱自在に収容される。容器カバー３０２の底部中央には、釜底温度センサー３０４が挿入される孔部３０２ａが形成されている。この釜底温度センサー３０４は、例えば、サーミスタが用いられる。
外蓋３１０ａは、上面に操作／表示部３１３が設けられているとともに、内蓋３１０ｂまで連通するカートリッジ３１２が着脱自在に取り付けられている。このカートリッジ３１２には、炊飯中に発生する蒸気圧に応じて上下動する弁を備えた蒸気取入３１２ａと、蒸気取入口３１２ａの弁を通過した蒸気を外部へ排出する蒸気排出口３１２ｂとが設けられている。
【００１９】
また、外蓋３１０ａの下面には、釜３０５内の温度を検知する、例えばサーミスタからなる内部温度センサー３１４が取り付けられている。
内蓋３１０ｂは、外蓋３１０ａの炊飯器本体３０１側の面に係止材３１１を介して取り付けられている。内蓋３１０ｂの周縁部には、釜３０５の上端部外周に形成されたフランジ部５ａとの密閉性を確保するためのシール材の蓋パッキン３０９が取り付けられている。
また、内蓋３１０ｂには、内部温度センサー３１４が釜３０５の内部に直接向くように、開口が形成されている。
【００２０】
制御手段３０８は、釜底温度センサー３０４、時間計測手段３０７、操作／表示部３１３、内部温度センサー３１４からの出力に基づいて加熱コイル３０３への高周波電流の通電や、側面加熱手段３２８、蓋ヒーター３２９への通電を制御するほか、炊飯器３００の動作全般を制御する。
制御手段３０８は、その機能を実現する回路デバイスのようなハードウェアで構成することもできるし、マイコンやＣＰＵのような演算装置と、その上で実行されるソフトウェアとにより構成することもできる。
尚、制御手段３０８には、外部端末Ｂと通信を行うため送受信部となる非接触通信手段３０８ａが接続されている。
【００２１】
外部端末Ｂは、非接触通信手段から受信したデータを扱うための専用のアプリケーションケーションが組み込まれている。
この外部端末Ｂは、内部に送受信用の端末アンテナが設けられており、非接触通信手段との間で無線通信を行い、データの送受信が行えるように構成されており、各調理機器に対応した専用端末や、携帯電話や多機能情報端末（例えば、所謂スマートフォンやタブレット型端末）等、インターネットに接続可能な端末を用いてもよい。
以上のように各部が構成された調理機器Ａ１とＡ２は、外部端末との間で無線通信を行い、次のように動作する。尚、本実施の形態では、通信位置マーク６０ａに外部端末を近接させて行う、近距離無線通信で通信を行う例を説明する。
【００２２】
図４、図５を参照すると、まず、外部端末Ｂにはあらかじめ、外部端末Ｂと接続可能な調理機器を登録しておく。
登録方法としては、まず外部端末Ｂを操作し、表示画面Ｂａに表示される機能一覧Ｂａ１から  外部端末Ｂと接続可能な調理機器を登録するモードである「家電登録」を選択する。そして、次の選択表示より「タッチで登録」を選択する。
この「タッチで登録」とは、登録する調理機器に直接外部端末Ｂを近付けて、調理機器と外部端末Ｂとの間で通信を行うことで、外部端末Ｂと接続可能な調理機器を登録する方法である。
【００２３】
そして、「タッチで登録」を選択すると、外部端末Ｂは受信モードになり、外部端末Ｂを登録したい調理機器Ａに設けられた非接触通信手段に接近させ、距離無線通信を行う。近距離無線通信を行った調理機器は、制御手段に設けられた記憶部にメモリしてある自身の製品情報を外務端末Ｂに送信する。
外部端末Ｂは、調理機器から製品情報を受信すると、受信した製品情報を外部端末の画面上に表示し、登録する家電が画面に表示してある製品で正しいかユーザーに確認する。
ユーザーは表示してある製品情報が登録したい家電であれば登録を行い、間違っていれば再度家電登録の受信モードにして登録したい製品に外部端末Ｂを近づける。
【００２４】
また、別の登録方法として、外部端末Ｂがインターネットなどに接続可能であれば、家電登録のメニュー選択の際に、インターネットから登録したい調理機器の製品情報をダウンロードしてもよい。
更に、外部端末Ｂは、ＨＥＭＳ（家庭内エネルギー監視システム）に接続可能である場合、ＨＥＭＳに登録されている調理機器の製品情報用いてもよい。
【００２５】
図６〜図７を参照して、本実施の形態の動作を説明する。
図６は、実施の形態１に係る外部端末Ｂと調理機器Ａ１，Ａ２の関係図である。
図７は、実施の形態１に係る外部端末における表示３をしめす。
本実施の形態の動作を、使用者が調理機器ＡであるＩＨクッキングヒーターのグリル庫Ｇを用いて秋刀魚の塩焼きを調理し、調理機器Ａ２である炊飯器でご飯を炊く場合を想定したもので説明する。
【００２６】
通常、使用者は調理時間が長い調理から始める。外部端末Ｂの専用アプリケーションから今回作るメニューを選択して、調理にかかる時間を調べる。本実施の形態の場合、調理時間が、炊飯が４０分、秋刀魚の塩焼きが１８分必要であることから、使用者は炊飯調理の対応から行う。
【００２７】
まず、使用者は、釜３０５に米と水を入れ炊飯の準備をして、炊飯器３００の操作／表示部３１３に設けられた炊飯開始スイッチを押すと炊飯が開始される。
次に、炊飯開始後、秋刀魚の塩焼きの調理を行うため、調理前の秋刀魚をグリル庫Ｇの中に入れ調理の準備をする。秋刀魚の塩焼きの調理準備が完了後、外部端末Ｂの専用アプリケーションを起動させ秋刀魚の塩焼きを選び数量や焼き色などを設定する。
【００２８】
次に、これらの調理に関する設定データを外部端末ＢからＩＨクッキングヒーターに送信する際に、調理機器連動ボタンを押して、ＩＨクッキングヒーターの調理動作が連動する調理機器を選択する、調理機器連動モードを起動する。
調理機器連動モードが起動すると、外部端末Ｂの表示画面には、連動させることが可能な調理機器の一覧が表示される。本実施の形態の場合、この一覧表示から炊飯器３００を選択する。
【００２９】
次に、ＩＨクッキングヒーターと連動する調理器を選択すると、外部端末Ｂは選択した炊飯器３００の調理データを取得する。
炊飯器３００の調理動作データの取得方法は、外部端末Ｂを炊飯器３００の非接触通信手段に近付けて通信を行うことにより取得する方法や、ＨＥＭＳやホームサーバー等に炊飯器３００が接続している場合、これらを経由してデータを取得してもよい。
【００３０】
そして、外部端末Ｂは、取得した炊飯動作データに基づき、炊飯調理が終わる時間を計算する。
図７の場合、炊飯終了時刻は１９：００である。次に、ＩＨクッキングヒーターで行う秋刀魚の塩焼きの調理動作を開始する時刻を計算する為に、炊飯完了の時間から秋刀魚の塩焼きの調理にかかる時間（１８分）を差し引いた時刻（１８：４２）を計算する。
計算した調理開始時刻を外部端末Ｂの画面に表示される（図７）。表示した調理データでよければＯＫボタンを押し、調理データをＩＨクッキングヒーターに送信する。
【００３１】
すると、ＩＨクッキングヒーターは、外部端末Ｂから送られてきた調理開始時刻（１８：４２）に調理を開始することで、炊飯器で行われている炊飯調理の終了とほぼ同じタイミングで、秋刀魚の塩焼きの調理を終えることができる。
以上のように、本発明によれば、複数の調理機器でそれぞれ行われている調理動作を、同じタイミングで終わらすように、各調理機器の調理動作を開始させることができる。これにより、それぞれの調理機器における調理終了時間を同じにすることができ、できたての料理（調理物）を、タイミング良く同時に準備することができる。
【００３２】
（実施の形態２）
図８〜図１０を参照して、本発明の実施の形態２を説明する。尚、実施の形態１と同じ構成については同じ符号を付し、説明を省略する。
図８、図９を参照して、ＩＨクッキングヒーターと連動させる調理機器Ａ３であるオーブンレンジ２００について説明する。図８は、オーブンレンジ２００の斜視図を示す。図９は、オーブンレンジ２００の断面図を示す。
【００３３】
オーブンレンジ２００は、本体２０１は内部に調理室２０２を備え、本体２０１の前側には窓２０３を有するドア２０４が設けられている。ドア２０４は、下部を本体２０１に軸支されており、上部に設けられたハンドル２０７により開閉可能に構成されている。
そして、加熱調理器を正面から見てドア２０４の右側に位置する略長方形状の領域は、操作者が後述する複数のキーを用いて調理に関する所定の入力を行う操作部２０８が形成されている。また、この操作部２０８には、操作入力の状態と調理状況を表示する表示部２０９が設けられている。
【００３４】
次に、調理室２０２内部には、調理物２０５を載置するセラミックによって構成された調理プレート２０６が着脱自在に設置され、調理室２０２側面に設けられたガイドレール（図示せず）に支持されるように構成されている。
調理室２０２の上面外側には、発熱体であるニクロム線をマイカで挟んで構成したフラットヒーター２１８が配置されている。フラットヒーター２１８は、断熱材２１９と、これらを覆う板金２２０によって上部を覆われており、調理室２０２内部を加熱するように構成されている。
【００３５】
次に、調理室２０２の下部には、炊飯器本体３０１内に設置されたマグネトロン（図示せず）の発生する周波数約２４５０ＭＨｚのマイクロ波を、調理室２０２に伝播するアンテナ２２１が備えられている。
このアンテナ２２１は、調理室２０２とセラミックプレート２２３で隔てられた下部加熱室２２４内に、回転可能に軸支され、モーター２２５によって回転しながら、導波管２２６を介して伝播されるマイクロ波を調理室２０２に伝播するものである。
また、下部加熱室２２４内部には、アンテナ２２１を取り囲むように配置されたシーズヒーター２２２が配置されており、セラミックプレート２２３を通して調理室２０２を下側から加熱するように構成されている。
【００３６】
次に、ドア２０４には、調理室２０２内部に伝播したマイクロ波が、ドア２０４と調理室２０２の合わせ目から漏洩することを防止するための金属製の袋小路構造を有するチョーク２２８と、マイクロ波の漏洩を遮断しつつ、前面に設けられた窓２０３を通して調理室２０２内部を外側から見通せるようにするための直径１ｍｍ程度の複数の開口を有する金属製の開口パネル２２９を内部に備えている。
調理室２０２の背面外側には、背面加熱室２３０が形成され、背面加熱室２３０内には赤外線を発生する背面ガラス管ヒーター２３１と、これを取り囲む反射部２３２が設けられている。
【００３７】
次に、調理室２０２と背面加熱室２３０を仕切る壁面の背面ガラス管ヒーター２３１の前側には、反射部２３２の開口と同等もしくは、それよりも広い領域に赤外線入射部となる直径約４ｍｍの複数の連通孔でなる背面開口部２３３が設けられている。
この背面開口部２３３は、背面ガラス管ヒーター２３１の発生する赤外線を調理室２０２内に透過させるが、調理室２０２内部に伝播されたマイクロ波を背面加熱室２３０内に伝播することを防止する機能を持つ。
【００３８】
また、反射部２３２は、背面加熱室２３０内の下部位置に設けられたターボファン２３４を収容する循環室２３５に連通している。この循環室２３５の後方には、ターボファン２３４を駆動するファンモーター２３６が設けられている。
調理室２０２と背面加熱室２３０を仕切る壁面におけるターボファン２３４前側には、直径約４ｍｍの複数の吸気口２３７が設けられている。
【００３９】
ターボファン２３４は、ファンモーター２３６により回転されることにより、調理室２０２内の空気を、吸気口２３７を介して循環室２３５内に吸気し、反射部２３２の背面ガラス管ヒーター２３１に送る機能を持つ。
そして、反射部２３２内で背面ガラス管ヒーター２３１によって加熱された空気は、背面開口部２３３を介して調理室２０２内部に送出される。
【００４０】
このように、ターボファン２３４を駆動させると、調理室２０２内部に熱風の対流を発生させることが可能となり、調理室２０２内の温度の立ち上りを早くすることができる。
また、セラミックからなる調理プレート２０６を調理室２０２側面のガイドレール（図示せず）に支持させて、吸気口２３７に差し掛かる高さに設置すると、調理プレート２０６の上の空間内で循環する空気と調理プレート２０６の上下の空間に跨って循環する空気とに分かれるため、循環ループの小さい上の空間の温度が高くなる。
【００４１】
このため、調理プレート２０６上での調理時間を短縮することが可能となる。
また、本実施の形態の加熱調理器においては、前記のように構成されているため、マグネトロン（図示せず）の発生するマイクロ波によるレンジ調理と、調理室２０２上部のフラットヒーター２１８による加熱のみ、もしくは、フラットヒーター２１８に加えて背面ガラス管ヒーター２３１による加熱を加えて上側から加熱を行うグリル調理と、グリル調理で用いる加熱源にシーズヒーター２２２による加熱を組み合わせて、庫内全体を均一に加熱するオーブン調理を行うことができる。
【００４２】
また、セラミックプレート２２３はマイクロ波を透過するため、セラミックプレート２２３上に調理物２０５を載置させた状態でマイクロ波加熱とヒーター加熱を組み合わせて調理することができる。
つまり、マイクロ波加熱とヒーター加熱を同時、あるいは交互に行うことにより、ヒーター加熱のみでは均一な加熱調理が困難であった、厚みのある食材や、水分の多い食材も早く調理することができる。
【００４３】
以上のように構成されたオーブンレンジ２００は、各部の動きを制御する制御手段２５０を有する。
制御手段２５０は、マイコンやＤＳＰやマイクロプロセッサーなどで構成されており、調理履歴や外部から受信した情報やデータを記憶する記憶部２５１及び時間を計算する計時部２５２を有する。
また制御手段２５０には、外部の機器と通信を行うため送受信部となる非接触通信手段２５３が接続されている。
【００４４】
ここで、調理機器Ａ３に設けられた非接触通信手段は、外部端末とデータの送受信を行うためのアンテナを有する。
また、外部端末Ｂは、内部に送受信用の端末アンテナが設けられており、非接触通信手段との間で無線通信を行い、データの送受信が行えるように構成されており、各調理機器に対応した専用端末や、携帯電話や多機能情報端末（例えば、所謂スマートフォンやタブレット型端末）等、インターネットに接続可能な端末を用いてもよい。
【００４５】
次に、本発明の実施の形態２に係る情報端末を示す図１０を参照して、ＩＨクッキングヒーターＡ１とオーブンレンジＡ３の連携調理制御について説明する。尚、本実施の形態では、使用者がグラタンを作る場合を想定している。
グラタン調理に用いる調理器として、具材を炒めたり、煮込んだりするためにＩＨクッキングヒーターＡ１を使用し、焼き上げるためのオーブンレンジＡ３を使用する。
まず、使用者はＩＨクッキングヒーターＡ１でホワイトソースやその他具材の調理を行う。具体的は調理手順としては、マカロニなどはゆでて油をからめる。玉葱やマッシュルーム、鶏肉などは鍋で炒める。
【００４６】
次に、炒めた具材に牛乳と鶏がらスープを加え煮込むが、そのときに使用者は外部端末Ｂに表示されるレシピ一覧からグラタンを選択し、ＩＨクッキングヒーターＡ１の煮込みモードを選択し具材を煮込む。
これと同時に、オーブンレンジのオーブンモードを選択し、設定温度を２００℃、加熱時間を１０分、に設定しデータ送信する。
【００４７】
すると、オーブンレンジＡ３は、まず予熱を開始する。オーブンレンジＡ３の予熱完了時刻の設定方法として、オーブンレンジは外部端末ＢからＩＨクッキングヒーターの煮込み調理完了時刻、又は、煮込み完了までにかかる時間を受信し、オーブンレンジの予熱完了までの時間とＩＨクッキングヒーターの煮込み完了までの時間と比較し、オーブンレンジの予熱完了までの時間のほうが多ければすぐに予熱を開始し、煮込み完了までの時間の方が多ければ、煮込み完了と同時に予熱が完了するように予熱開始時間を調節して予熱を開始する。
【００４８】
これにより、煮込み完了前に予熱が完了し、煮込み完了までに予熱したオーブンレンジＡ３の熱が冷めてしまう心配がなく、また、煮込み完了時に予熱が完了しているので、ＩＨクッキングヒーターからオーブンレンジに調理工程を移すときに、待ち時が少なく、調理時間を短縮することができる。
使用者は、煮込みが完了すれば、マカロニを混ぜ、オーブンレンジで加熱用の加熱容器に移しチーズを乗せてオーブンレンジで焼く準備をする。上記設定により煮込み完了時刻とほぼ同時にオーブンレンジの予熱が終えており、そのままオーブンレンジに加熱容器を入れオーブンレンジの加熱開示ボタンを押し加熱をスタートする。設定時間焼き上げれば調理完了である。
【００４９】
以上のように、複数の調理器で1つの調理を行う場合に、先に使う調理器で行う調理が終わると同時に、次に使う調理器の準備が完了させることで調理をスムーズに行うことができ、調理時間の短縮になる。
尚、以上の各実施の形態では、調理機器A１と外部端末との間のデータの送受信方法（通信方法）は、近接した距離で通信を行う形態で説明したが、離れた状態で通信する形態を用いてもよい。
【符号の説明】
【００５０】
Ａ１  調理機器（ＩＨクッキングヒーター）
１０  本体ケース
２０  天版
２１  フレーム
２２  ガラス板
３０  上面操作部
４０  誘導加熱コイル
５０  表示部
６０  非接触通信手段
Ｇ  グリル
７０  グリル扉
７１  グリル窓
７２  ハンドル
７３  グリルヒーター
１００  制御手段
Ａ２  調理機器（炊飯器）
３００  炊飯器
３０１  炊飯器本体
３０５  釜
３０８  制御手段
３０８ａ  非接触通信手段
３１３  操作／表示部
Ａ３  調理機器（オーブンレンジ）
２００  オーブンレンジ
２０１  本体
２０２  調理室
２０８  操作部
２５０  制御手段
２５３  非接触通信手段
Ｂ  外部端末
【図１】
2015194287.tif 000003
【図２】
2015194287.tif 000004
【図３】
2015194287.tif 000005
【図４】
2015194287.tif 000006
【図５】
2015194287.tif 000007
【図６】
2015194287.tif 000008
【図７】
2015194287.tif 000009
【図８】
2015194287.tif 000010
【図９】
2015194287.tif 000011
【図１０】
2015194287.tif 000012